【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
符号化ビデオビットストリーム中で、スライスヘッダまたは補足強調情報（ＳＥＩ）メッセージのうちの１つ中のフラグを受信することと、
ランダムアクセス復号のために利用可能でないピクチャに関して漸次デコーダリフレッシュ（ＧＤＲ）が有効化されているかどうかを判断するために前記フラグを復号することと、
前記復号されたフラグが、ランダムアクセス復号のために利用可能でない前記ピクチャに関してＧＤＲが有効化されていることを示すとき、前記ピクチャの１つまたは複数のスライスが前記ピクチャのフォアグラウンド領域に属すかどうかを示す情報を復号することとを備え、
ここにおいて、前記ピクチャの前記フォアグラウンド領域は、ＧＤＲに従ってリフレッシュされた前記ピクチャの領域を表し、
前記ピクチャのバックグラウンド領域は、ＧＤＲに従ってリフレッシュされていない前記フォアグラウンド領域とは異なる前記ピクチャの領域を表す、
方法。
【請求項２】
前記ＳＥＩメッセージは、ｒｅｇｉｏｎ＿ｒｅｆｒｅｓｈ  ＳＥＩメッセージを備える、請求項１に記載の方法。
【請求項３】
前記ピクチャの前記フォアグラウンド領域は、１つまたは複数のスライスを備え、前記方法は、ＧＤＲシーケンスのＧＤＲ開始点を表すピクチャおよび前記シーケンスのＧＤＲ回復点を表すピクチャを示す情報を復号することをさらに備え、前記ＧＤＲ回復点を表す前記ピクチャは、ランダムアクセス復号のために利用可能である、請求項１に記載の方法。
【請求項４】
復号順序で、前記ＧＤＲ開始点を表す前記ピクチャと前記ＧＤＲ回復点を表す前記ピクチャとの間に位置する前記ＧＤＲシーケンスの１つまたは複数のピクチャのフォアグラウンド領域に属すスライスに対応するビデオデータを復号することをさらに備える、請求項３に記載の方法。
【請求項５】
復号順序で、前記ＧＤＲ開始点を表す前記ピクチャと前記ＧＤＲ回復点を表す前記ピクチャとの間に位置する前記１つまたは複数のピクチャのバックグラウンド領域に属す何れのスライスに対応するビデオデータも破棄することをさらに備える、請求項４に記載の方法。
【請求項６】
前記ピクチャの前記フォアグラウンド領域に属す前記ピクチャの前記１つまたは複数のスライスに基づいて、前記ピクチャの前記フォアグラウンド領域に対応するビデオデータを生成することをさらに備える、請求項１に記載の方法。
【請求項７】
ビデオデータを符号化する方法であって、
ランダムアクセス復号のために利用可能でないピクチャに関して漸次デコーダリフレッシュ（ＧＤＲ）が有効化されているかどうかを示すフラグを符号化することと、
ランダムアクセス復号のために利用可能でない前記ピクチャに関してＧＤＲが有効化されているとき、前記ピクチャの１つまたは複数のスライスが前記ピクチャのフォアグラウンド領域に属すかどうかを示す情報を符号化することと、
ここにおいて、前記ピクチャの前記フォアグラウンド領域は、ＧＤＲに従ってリフレッシュされた前記ピクチャの領域を表し、
前記ピクチャのバックグラウンド領域は、ＧＤＲに従ってリフレッシュされていない前記フォアグラウンド領域とは異なる前記ピクチャの領域を表す、
符号化ビデオビットストリーム中で、スライスヘッダまたは補足強調情報（ＳＥＩ）メッセージのうちの１つ中で、ＧＤＲが有効化されているかどうかを示す前記フラグをシグナリングすることと
を備える方法。
【請求項８】
前記ＳＥＩメッセージは、ｒｅｇｉｏｎ＿ｒｅｆｒｅｓｈ  ＳＥＩメッセージを備える、請求項７に記載の方法。
【請求項９】
前記ピクチャの前記フォアグラウンド領域は、１つまたは複数のスライスを備え、前記方法は、ＧＤＲシーケンスのＧＤＲ開始点を表すピクチャおよび前記ＧＤＲシーケンスのＧＤＲ回復点を表すピクチャを示す情報を符号化することをさらに備える、請求項７に記載の方法。
【請求項１０】
復号順序で、前記ＧＤＲ開始点を表す前記ピクチャと前記ＧＤＲ回復点を表す前記ピクチャとの間に位置する前記ＧＤＲシーケンスの１つまたは複数のピクチャのフォアグラウンド領域に属すスライスに対応するビデオデータを符号化することをさらに備える、請求項９に記載の方法。
【請求項１１】
ビデオデータを復号するための装置であって、
符号化ビデオビットストリームの少なくとも一部分を記憶するように構成されたメモリデバイスと、
前記符号化ビデオビットストリームの前記記憶された一部分から、スライスヘッダまたは補足強調情報（ＳＥＩ）メッセージのうちの１つ中のフラグを復号し、
ランダムアクセス復号のために利用可能でないピクチャに関して漸次デコーダリフレッシュ（ＧＤＲ）が有効化されているかどうかを判断するために前記フラグを復号し、
前記復号されたフラグが、ランダムアクセス復号のために利用可能でない前記ピクチャに関してＧＤＲが有効化されていることを示すとき、前記ピクチャの１つまたは複数のスライスが前記ピクチャのフォアグラウンド領域に属すかどうかを示す情報を復号する
ように構成された１つまたは複数のプロセッサを備え、
ここにおいて、前記ピクチャの前記フォアグラウンド領域は、ＧＤＲに従ってリフレッシュされた前記ピクチャの領域を表し、
前記ピクチャのバックグラウンド領域は、ＧＤＲに従ってリフレッシュされていない前記ピクチャの領域を表す、
装置。
【請求項１２】
前記ＳＥＩメッセージは、ｒｅｇｉｏｎ＿ｒｅｆｒｅｓｈ  ＳＥＩメッセージを備える、請求項１１に記載の装置。
【請求項１３】
前記ピクチャの前記フォアグラウンド領域は、１つまたは複数のスライスを備え、前記１つまたは複数のプロセッサは、前記シーケンスのＧＤＲ開始点を表すピクチャおよびＧＤＲ回復点を表すピクチャを示す情報を復号するようにさらに構成され、前記ＧＤＲ回復点を表す前記ピクチャは、ランダムアクセス復号のために利用可能である、請求項１１に記載の装置。
【請求項１４】
前記１つまたは複数のプロセッサは、復号順序で、前記ＧＤＲ開始点を表す前記ピクチャと前記ＧＤＲ回復点を表す前記ピクチャとの間に位置する前記ＧＤＲシーケンスの１つまたは複数のピクチャのフォアグラウンド領域に属すスライスに対応するビデオデータを復号するようにさらに構成される、請求項１３に記載の装置。
【請求項１５】
前記１つまたは複数のプロセッサは、復号順序で、前記ＧＤＲ開始点を表す前記ピクチャと前記ＧＤＲ回復点を表す前記ピクチャとの間に位置する前記１つまたは複数のピクチャのバックグラウンド領域に属す何れのスライスに対応するビデオデータも破棄するようにさらに構成される、請求項１４に記載の装置。
【請求項１６】
前記１つまたは複数のプロセッサは、前記ピクチャの前記フォアグラウンド領域に属す前記ピクチャの前記１つまたは複数のスライスに基づいて、前記ピクチャの前記フォアグラウンド領域に対応するビデオデータを生成するようにさらに構成される、請求項１１に記載の装置。
【請求項１７】
ビデオデータを復号するための装置であって、
符号化ビデオビットストリーム中で、スライスヘッダまたは補足強調情報（ＳＥＩ）メッセージのうちの１つ中のフラグを受信するための手段と、
ランダムアクセス復号のために利用可能でないピクチャに関して漸次デコーダリフレッシュ（ＧＤＲ）が有効化されているかどうかを判断するために前記フラグを復号するための手段と、
前記復号されたフラグが、ランダムアクセス復号のために利用可能でない前記ピクチャに関してＧＤＲが有効化されていることを示すとき、前記ピクチャの１つまたは複数のスライスが前記ピクチャのフォアグラウンド領域に属すかどうかを示す情報を復号するための手段とを備え、
ここにおいて、前記ピクチャの前記フォアグラウンド領域は、ＧＤＲに従ってリフレッシュされた前記ピクチャの領域を表し、
前記ピクチャのバックグラウンド領域は、ＧＤＲに従ってリフレッシュされていない前記フォアグラウンド領域とは異なる前記ピクチャの領域を表す、
装置。
【請求項１８】
前記ＳＥＩメッセージは、ｒｅｇｉｏｎ＿ｒｅｆｒｅｓｈ  ＳＥＩメッセージを備える、請求項１７に記載の装置。
【請求項１９】
前記ピクチャの前記フォアグラウンド領域は、１つまたは複数のスライスを備え、前記装置は、ＧＤＲシーケンスのＧＤＲ開始点を表すピクチャおよび前記シーケンスのＧＤＲ回復点を表すピクチャを示す情報を復号するための手段をさらに備え、前記ＧＤＲ回復点を表す前記ピクチャは、ランダムアクセス復号のために利用可能である、請求項１７に記載の装置。
【請求項２０】
復号順序で、前記ＧＤＲ開始点を表す前記ピクチャと前記ＧＤＲ回復点を表す前記ピクチャとの間に位置する前記ＧＤＲシーケンスの１つまたは複数のピクチャのフォアグラウンド領域に属すスライスに対応するビデオデータを復号するための手段をさらに備える、請求項１９に記載の装置。
【請求項２１】
復号順序で、前記ＧＤＲ開始点を表す前記ピクチャと前記ＧＤＲ回復点を表す前記ピクチャとの間に位置する前記１つまたは複数のピクチャのバックグラウンド領域に属す何れのスライスに対応するビデオデータも破棄するための手段をさらに備える、請求項２０に記載の装置。
【請求項２２】
命令を記憶したコンピュータ可読記憶媒体であって、前記命令は、実行されると、ビデオ復号デバイスの１つまたは複数のプロセッサに、
符号化ビデオビットストリーム中で、スライスヘッダまたは補足強調情報（ＳＥＩ）メッセージのうちの１つ中のフラグを受信させ、
ランダムアクセス復号のために利用可能でないピクチャに関して漸次デコーダリフレッシュ（ＧＤＲ）が有効化されているかどうかを判断するために前記フラグを復号させ、
前記復号されたフラグが、ランダムアクセス復号のために利用可能でない前記ピクチャに関してＧＤＲが有効化されていることを示すとき、１つまたは複数のスライスが前記ピクチャのフォアグラウンド領域に属すかどうかを示す情報を復号させ、
ここにおいて、前記ピクチャの前記フォアグラウンド領域は、ＧＤＲに従ってリフレッシュされた前記ピクチャの領域を表し、
前記ピクチャのバックグラウンド領域は、ＧＤＲに従ってリフレッシュされていない前記フォアグラウンド領域とは異なる前記ピクチャの領域を表す、
コンピュータ可読記憶媒体。
【請求項２３】
前記ＳＥＩメッセージは、ｒｅｇｉｏｎ＿ｒｅｆｒｅｓｈ  ＳＥＩメッセージを備える、請求項２２に記載のコンピュータ可読記憶媒体。
【請求項２４】
前記ピクチャの前記フォアグラウンド領域は、１つまたは複数のスライスを備え、前記命令は、実行されると、前記１つまたは複数のプロセッサに、さらに、前記シーケンスのＧＤＲ開始点を表すピクチャおよびＧＤＲ回復点を表すピクチャを復号させ、前記ＧＤＲ回復点を表す前記ピクチャは、ランダムアクセス復号のために利用可能である、請求項２２に記載のコンピュータ可読記憶媒体。
【請求項２５】
実行されると、前記１つまたは複数のプロセッサに、復号順序で、前記ＧＤＲ開始点を表す前記ピクチャと前記ＧＤＲ回復点を表す前記ピクチャとの間に位置する前記ＧＤＲシーケンスの１つまたは複数のピクチャのフォアグラウンド領域に属すスライスに対応するビデオデータを復号させるさらなる命令を記憶した、請求項２４に記載のコンピュータ可読記憶媒体。
【請求項２６】
実行されると、前記１つまたは複数のプロセッサに、復号順序で、前記ＧＤＲ開始点を表す前記ピクチャと前記ＧＤＲ回復点を表す前記ピクチャとの間に位置する前記１つまたは複数のピクチャのバックグラウンド領域に属す何れのスライスに対応するビデオデータも破棄させるさらなる命令を記憶した、請求項２５に記載のコンピュータ可読記憶媒体。
【請求項２７】
再構成されたビデオデータを表示するように構成されたディスプレイデバイスをさらに備える、請求項１１に記載の装置。
【請求項２８】
１つまたは複数の集積回路、
１つまたは複数のマイクロプロセッサ、
１つまたは複数のデジタル信号プロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビ、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス
のうちの少なくとも１つをさらに備える、請求項１１に記載の装置。
【請求項２９】
再構成されたビデオデータを表示するための手段をさらに備える、請求項１７に記載の装置。
【請求項３０】
１つまたは複数の集積回路、
１つまたは複数のマイクロプロセッサ、
１つまたは複数のデジタル信号プロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビ、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス
のうちの少なくとも１つをさらに備える、請求項１７に記載の装置。